(57)【要約】【課題】防塵用布を用いずに、マイクロンホンまたはスピーカへのゴミの付着を防止する。【解決手段】カメラ本体１１には、マイクロホン３０が設けられ、カメラ本体１１の前面を覆う前面カバー１４には、マイクロホン３０に通じる開口３１が設けられている。前面カバー１４に、電源スイッチ２７をオンさせる位置とオフさせる位置とでスライド自在なグリップ補助部材１３を設ける。グリップ部補助部材１３に、グリップ部補助部材１３が電源オフ位置に移動したときには開口３１を塞ぎ、電源オン位置に移動したときには開口３１を外部に露呈させる貫通穴２５を設ける。【選択図】        図２
2004233682.tif 000002
【特許請求の範囲】
【請求項１】
音声の録音または再生機能を有し、カメラボディの外装にマイクロホンまたはスピーカに通じる開口が設けられたカメラにおいて、
前記外装の前面に電源スイッチのオフ位置とオン位置との間でスライド操作されるスイッチ操作部材を設け、このスイッチ操作部材にスイッチ操作部材がオフ位置に移動したときには前記開口を塞ぎ、スイッチ操作部材がオン位置に移動したときには前記開口を外部に露呈させる開口規制部を設けたことを特徴とするカメラ。
【請求項２】
前記スイッチ操作部材は、カメラボディの前面にスライド自在に設けられ、前記オン位置では右手グリップ側側面に接近したグリップ位置に移動し、オフ位置では右手グリップ側側面から離れた不使用位置に移動されるグリップ補助部材であることを特徴とする請求項１記載のカメラ。
【請求項３】
前記開口規制部は、前記グリップ補助部材の上端側または下端側に形成された貫通穴であり、グリップ補助部材がグリップ位置に移動することによって前記開口と重なり合って開口を外部に露呈させることを特徴とする請求項２記載のカメラ。
【発明の詳細な説明】
【０００１】
【発明の属する技術分野】
本発明は、カメラに関し、更に詳しくは、音声の録音機能または再生機能を有するカメラに関するものである。
【０００２】
【従来の技術】
カメラボディの前面に、ホールディング時に指掛かりとなるグリップ補助部材をスライド自在に取り付け、このグリップ補助部材のスライド操作に連動してカメラ本体の電源を切替えるデジタルカメラがよく知られている。このような電源切替機構を持つデジタルカメラが例えば特許文献１に記載されている。さらに、このデジタルカメラは、近年急速に普及しており、小型化及び低価格化が進む一方で高機能化が進んでいる。ＡＥ機能、ＡＦ機能及びズーム機能などはもちろんのこと、音声とともに動画を記録する機能、さらに、記録した音声や動画を再生する機能が設けられているものもある。
【０００３】
音声の録音または再生は、カメラボディを覆う本体カバーの内側に設けられたマイクロホンまたはスピーカを介して行われる。本体カバーには、マイクロホン用またはスピーカ用の開口が設けられている。この開口は、マイクロホンまたはスピーカへの埃やゴミの付着を防ぐために、防塵用布で覆われるのが通常である。
【０００４】
【特許文献１】
特開平１１−２９８７７３号公報  （第３頁、第１図）
【０００５】
【発明が解決しようとする課題】
しかしながら、マイクロホン用またはスピーカ用の開口を防塵用布で覆ってしまうと、開口の開口率が小さくなってマイクロホン及びスピーカの性能が下がってしまうという欠点がある。さらに、デジタルカメラの部品数及び組立工程数が増えるため、コスト上昇を招く恐れがある。
【０００６】
本発明は、上記問題点を解決するものであり、防塵用布を用いずに、マイクロホンまたはスピーカへ施す防塵対策を低コストに行うことを可能にしたカメラを提供することを目的とする。
【０００７】
【課題を解決するための手段】
上記目的を達成するために、本発明のカメラは、音声の録音または再生機能を有し、カメラボディの外装にマイクロホンまたはスピーカに通じる開口が設けられたデジタルカメラにおいて、前記外装の前面に電源スイッチのオフ位置とオン位置との間でスライド操作されるスイッチ操作部材を設け、このスイッチ操作部材にスイッチ操作部材がオフ位置に移動したときには前記開口を塞ぎ、スイッチ操作部材がオン位置に移動したときには前記開口を外部に露呈させる開口規制部を設けたことを特徴とするものである。
【０００８】
さらに、本発明では、スイッチ操作部材は、カメラボディの前面にスライド自在に設けられ、前記オン位置では右手グリップ側側面に接近したグリップ位置に移動し、オフ位置では右手グリップ側側面から離れた不使用位置に移動されるグリップ補助部材であることが好ましい。
【０００９】
また、本発明では、開口規制部は、前記グリップ補助部材の上端側または下端側に形成された貫通穴であり、グリップ補助部材がグリップ位置に移動することによって前記開口と重なり合って開口を外部に露呈させることが好ましい。
【００１０】
【発明の実施の形態】
以下、本発明の実施形態について説明する。図１（Ａ），（Ｂ）は、本発明を実施した録音機能付きデジタルカメラの外観を示す斜視図である。（Ａ）は電源オフ状態を示し、（Ｂ）は電源オン状態を示している。デジタルカメラ１０は、各種撮影機構及び録音機能が組み込まれたカメラ本体１１（図２参照）と、カメラ本体１１を覆う本体カバー１２と、本体カバー１２の前面に取り付けられたグリップ補助部材１３とからなる。
【００１１】
本体カバー１２は、カメラ本体１１の前面を覆う前面カバー１４と、カメラ本体１１の背面を覆う背面カバー１５とからなる。前面カバー１４には、グリップ補助部材１３を取り付けるためのガイド溝１４ａ，１４ｂ、撮影レンズ１７を保持するレンズ鏡筒１８が出入りする撮影窓１９、ストロボ発光窓２０、ファインダ対物窓２１等が設けられている。また、背面カバー１５にはシャッタボタン２２の他に、図示は省略するが、カラー液晶モニタ、接眼ファインダ窓、ズームスイッチや十字キーなどの各種機能ボタン等が設けられている。
【００１２】
グリップ補助部材１３には、ホールディングした指を掛けることができる隆起部が形成されており、さらに、後述する録音用の貫通穴２５が設けられている。グリップ補助部材１３は、ガイド溝１４ａ，１４ｂに取り付けられ、前面カバー１４の端面（右手グリップ側側面）に近接したグリップ位置と、これから離れる不使用位置との間でスライド自在である。このグリップ補助部材１３のスライド操作に連動してデジタルカメラ１０の電源が切替えられる。つまり、不使用位置とは、電源をオフする電源オフ位置であり、グリップ位置とは、電源をオンする電源オン位置である。グリップ補助部材１３を図中右方向の電源オフ位置にスライドさせることで電源がオフされ、左方向の電源オン位置にスライドさせることで電源がオンされる。また、図示は省略するが、グリップ補助部材１３及び前面カバー１４には、グリップ補助部材１３を、電源オフ位置及び電源オン位置で係止する係止機構が設けられている。
【００１３】
電源オフ状態では、図１（Ａ）に示すように、レンズ鏡筒１８はカメラ本体１１に収納され、撮影レンズ１７はレンズカバー２６によって保護される。電源がオンされると、図１（Ｂ）に示すように、レンズカバー２６が本体カバー１２の内面側に待避し、撮影窓１９からレンズ鏡筒１８を繰り出して撮影可能な状態となる。カメラ本体１１に設けられた録音機構も、グリップ補助部材１３を電源オン位置にスライドさせることにより使用可能な状態となる。
【００１４】
図２は、上述の電源切替機構及び録音機構を示した分解斜視図である。電源切替機構は、カメラ本体１１に設けられた電源スイッチ２７と、前面カバー１４に設けられた穴２８と、グリップ補助部材１３の内面側に設けられたガイド溝２９とから構成されている。電源スイッチ２７には、ボタン２７ａが設けられている。ボタン２７ａが押圧されているときには、電源スイッチ２７はオンになり、押圧が解除されると電源スイッチ２７はオフになる。ボタン２７ａは、穴２８に挿通し、ガイド溝２９と係合する。
【００１５】
ガイド溝２９は、グリップ補助部材１３のスライド方向に対して平行であり、さらに、図中右端部に突出部２９ａが設けられている。また、ガイド溝２９は、グリップ補助部材１３のスライド量に応じた長さにしてある。そのため、グリップ補助部材１３が電源オフ位置にあるときには、ボタン２７ａがガイド溝２９の左端部と当接し、グリップ補助部材１３が電源オン位置にあるときには、ボタン２７ａがガイド溝２９の右端部と当接する。
【００１６】
録音機構は、グリップ補助部材部１３に設けられた貫通穴２５と、前面カバー１４に設けられた開口３１と、開口３１の裏側に設けられたマイクロホン３０とから構成される。開口３１は、グリップ補助部材１３が電源オフ位置にあるときには、グリップ補助部材１３によって塞がれ、尚且つグリップ補助部材１３が電源オン位置にスライドされたときには、貫通穴２５によって外部に露呈される。
【００１７】
また、図示は省略するが、カメラ本体１１には、マイクロホン３０から集音された音声データをデジタルデータに変換するＡ／Ｄ変換器、デジタルカメラ１０の各部を制御するＣＰＵ、記録されたデータを保管するＲＡＭ等が設けられている。
【００１８】
次に、図３（Ａ），（Ｂ）及び図４（Ａ），（Ｂ）を参照にして、上記実施形態の作用について説明する。図３は電源オフの状態を示し、図４は電源オンの状態を示している。図３（Ａ）において、グリップ補助部材１３は、上述の係止機構により電源オフ位置に係止され、撮影レンズ１７はレンズカバー２６によって保護されている。このときの貫通穴２５と開口３１との位置関係を図３（Ｂ）に示す。
【００１９】
図３（Ｂ）は、図３（Ａ）のａａ’間をデジタルカメラ１０の上面側から見た断面図である。開口３１はグリップ補助部材１３により塞がれるため、開口３１を防塵用布で覆う必要がない。したがって、従来の録音機能付きデジタルカメラより開口の開口率を上げることが可能となり、マイクロホンの集音性能が上がる。
【００２０】
電源オン時には、グリップ補助部材１３を図中左方向にスライドさせる。図４（Ａ）に示すように、グリップ補助部材１３は、電源オン位置までスライドされ、係止機構により係止される。このとき、ボタン２７ａは、突出部２９ａによって押圧されるため、電源スイッチ２７がオンされ、撮影が可能となる。このときの貫通穴２５と開口３１との位置関係を図４（Ｂ）に示す。
【００２１】
図４（Ｂ）は、図４（Ａ）のｂｂ’間をデジタルカメラ１０の上面側から見た断面図である。貫通穴２５と開口３１とが重なり合うため、開口３１が外部に露呈され録音が可能となる。
【００２２】
貫通穴２５及び開口３１は、デジタルカメラ１０の前面に設けられ、撮影、録音などの作業は、グリップ補助部材１３をホールディングした状態で行われている。そのため、貫通穴２５及び開口３１が上方を向いている時間は非常に短くなる。したがって、開口３１が外部に露呈していてもマイクロホン３０への埃やゴミなどの付着は最小限に抑えられる。
【００２３】
撮影及び録音完了後には、グリップ補助部材１３を電源オフ位置までスライドさせる。開口３１がグリップ補助部材１３によって塞がれ、マイクロホン３０が埃やゴミなどから保護される。また、同時に、ボタン２７ａへの押圧が解除されて、電源スイッチ２７がオフされる。
【００２４】
なお、本実施形態では、貫通穴２５は、グリップ補助部材１３の図中上端側に設けられているが、グリップ補助部材１３の任意の位置に設けてもよい。特にグリップ補助部材１３の上端側或いは下端側に貫通穴２５を設ければ、ホールディングされたときに指によって貫通穴２５が覆われる可能性が低くなる。
【００２５】
また、本実施形態では、デジタルカメラを例に説明をしたが、本発明は感光フィルムを使用する銀塩カメラにも用いることができる。
【００２６】
本実施形態では、１つのマイクロホンに対して貫通穴及び開口を２つ設けているが、貫通穴及び開口の数は適宜変えても良い。また、貫通穴及び開口の形状も任意の形状でよく、例えば円状でもよい。
【００２７】
本実施形態では、録音機能付きカメラを例に説明したが、録音機能及び録音データ再生機能を持つカメラにも適用してもよい。この場合は、グリップ補助部材に、マイクロホン用とスピーカ用との２種類の貫通穴を設ければよい。また、貫通穴の面積を広くすることにより、マイクロホンとスピーカとで一つの貫通穴を共用してもよい。
【００２８】
本実施形態では、カメラのスイッチ操作部材にグリップ補助部材を用いているが、手動開閉式のレンズバリアを用いてもよい。この場合は、レンズバリアが、撮影レンズを覆うレンズ閉じ位置に移動すると電源がオフされ、撮影レンズを開放するレンズ開放位置に移動すると電源がオンされる。
【００２９】
【発明の効果】
以上のように、本発明のカメラによれば、カメラに内蔵されているマイクロホンまたはスピーカを防塵用布で覆うことなく、マイクロホンまたはスピーカへの埃やゴミの付着が防止できる。これにより、マイクロホンまたはスピーカの開口率が上がり、マイクロホンまたはスピーカの性能を従来のものと比較して高くすることが可能となる。さらに、カメラの組立工程における部品数及び組立工程数を減らすことができるため、コストダウンが可能となる。
【図面の簡単な説明】
【図１】本発明を実施したデジタルカメラの外観を示す斜視図である。（Ａ）は電源オフ状態を示し、（Ｂ）は電源オン状態を示している。
【図２】同デジタルカメラの電源切替機構及び録音機構とを示した分解斜視図である。
【図３】（Ａ）は電源オフ時の同デジタルカメラの電源切替機構及び録音機構の作用を示した斜視図であり、（Ｂ）は（Ａ）を上面側から見た断面図である。
【図４】（Ａ）は電源オン時の同デジタルカメラの電源切替機構及び録音機構の作用を示した斜視図であり、（Ｂ）は（Ａ）を上面側から見た断面図である。
【符号の説明】
１１  カメラ本体
１２  本体カバー
１３  グリップ補助部材
１４  前面カバー
２５  貫通穴
２７  電源スイッチ
３１  開口
【図１】
2004233682.tif 000003
【図２】
2004233682.tif 000004
【図３】
2004233682.tif 000005
【図４】
2004233682.tif 000006